(57)【特許請求の範囲】
【請求項１】
外扉をロック機構を介して施錠及び解錠する施錠装置を有する自動販売機の外扉施錠構造において、
前記施錠装置は、前記ロック機構を開閉動作させるロックハンドルと、該ロックハンドルの開閉動作を規制する係止部材と、前記外扉の前面に表出され該係止部材の係脱用の鍵が挿入される第１の錠部と、該係止部材を係止解除するよう動作する電気駆動のアクチュエータと、該外扉の前面に表出され該アクチュエータの駆動制御用の鍵が挿入される第２の錠部と、該第１の錠部に挿入された鍵の操作に連動する第１のロッド部と該第１のロッド部に連結し該アクチュエータの動作に連動する第２のロッド部とを有するとともに、該各ロッド部の回転により該係止部材を係脱するロッドとを有する
ことを特徴とする自動販売機の外扉施錠構造。
【発明の詳細な説明】
【０００１】
【発明の属する技術分野】
本発明は、鍵を外扉の錠部に挿入して外扉を開閉する自動販売機の外扉施錠構造に関するものである。
【０００２】
【従来の技術】
従来、この種の自動販売機として特開平４ー９９７６号公報に掲載したものを出願人は提案している。
【０００３】
この自動販売機において、その外扉を開放するときは、外扉の前面に表出した錠部に鍵を挿入してこの鍵を回動する。これにより、外扉に埋め込まれているロックハンドルが外扉の前面に突出する。そして、この突出したロックハンドルを把持してロック解除操作を行う。この解除操作により、ロック機構が外扉を自動販売機本体から外し、外扉が開放される。
【０００４】
【発明が解決しようとする課題】
このように従来の自動販売機においては、外扉の開閉に係る錠部が１個となっているため、硬貨処理装置或いは紙幣処理装置から金銭を窃取するとき、或いは、自動販売機内の商品を窃取するときは、この１個の錠部の破壊のみで外扉を開放できると判断されるおそれがあり、これにより、金品を窃取する動機付けを与えるおそれがあった。
【０００５】
本発明の目的は前記従来の課題に鑑み、錠部を２個設けて犯罪抑止力を高め、また、外扉の開放操作を簡単にできる自動販売機の外扉施錠構造を提供することにある。
【０００６】
【課題を解決するための手段】
本発明は前記課題を解決するため、外扉をロック機構を介して施錠及び解錠する施錠装置を有する自動販売機の外扉施錠構造において、施錠装置は、ロック機構を開閉動作させるロックハンドルと、ロックハンドルの開閉動作を規制する係止部材と、外扉の前面に表出され係止部材の係脱用の鍵が挿入される第１の錠部と、係止部材を係止解除するよう動作する電気駆動のアクチュエータと、外扉の前面に表出されアクチュエータの駆動制御用の鍵が挿入される第２の錠部と、第１の錠部に挿入された鍵の操作に連動する第１のロッド部と第１のロッド部に連結しアクチュエータの動作に連動する第２のロッド部とを有するとともに、各ロッド部の回転により係止部材を係脱するロッドとを有する構造となっている。
【０００７】
この発明によれば、外扉を開放するときは、自動販売機の通電時は第２の錠部に鍵を挿入し、アクチュエータを駆動する。これにより、係止部材によるロックハンドルの規制が解除される。しかる後、このロックハンドルを操作してロック機構を解錠動作させる。これにより外扉の開放が可能となる。
【０００８】
【発明の実施の形態】
図１乃至図８は本発明に係る自動販売機の外扉施錠構造の一実施形態を示すもので、図１は自動販売機の正面斜視図、図２は施錠装置とロック機構との連結状態を示す平面断面図、図３はロック機構における外扉閉鎖状態を示す断面図、図４は施錠装置を示す断面図、図５は図４のＡーＡ線矢印方向の断面図、図６は図４のＢーＢ線矢印方向の断面図、図７は図４のＣーＣ線矢印方向の断面図、図８は図４のＤーＤ線矢印方向の断面図である。
【０００９】
本実施形態に係る自動販売機は、図１に示すように、自動販売機本体１の前面を開閉する外扉２を有し、この外扉２の前面には商品サンプル室３、コイン投入口４、外扉２の施錠装置５等が設定されている。ここで、この施錠装置５は図２に示すように、ロック機構６を介して外扉２を自動販売機本体１に施錠或いは解錠するようになっており、この施錠装置５とロック機構６との連結構造を外扉２の開放操作を説明しながら概略説明する（図２及び図３参照）。
【００１０】
この施錠装置５は回動自在のロックハンドル５１を有するもので、このロックハンドル５１を回動することにより、この施錠装置５の先端に固定されている回転アーム６１が回転（解錠時は下方向に回転）し、この回転アーム６１の回転によりこれに連結している連係板６２が同一方向に回転する。この連係板６２が回転すると連係板６２にネジ止めされた取り付け板６３も同じく回転し、更には取り付け板６３に連結しているスライド板６４が下方に向かってスライドする。
【００１１】
このスライド板６４は図３に示すように、自動販売機本体１の上下方向に延在しており、このスライド板６４に形成されたロック穴６４ａにはロック板６５が係脱自在となっている。このロック板６５は取り付け金具６６により自動販売機本体１に取り付けられており、このロック板６５がスライド板６４にフックされているときは外扉２が閉鎖状態で保持され、一方、前述の如くスライド板６４が下方へ移動するときは、このフックが解除され外扉２が自動販売機本体１から外れて開放できるようになっている。
【００１２】
以上のような外扉施錠構造は従来の技術の欄で説明した特開平４ー９９７６号公報に掲載されたものと同一であり、本実施形態では施錠装置５の構造に特徴を有する。この特徴的構造を図４乃至図８を参照して説明する。
【００１３】
この施錠装置５は前記ロックハンドル５１と、外扉２を挟んでロックハンドル５１と連結する保持ブロック５２と、ロックハンドル５１に固定されたシリンダ５３と、このシリンダ５３内に回転自在に貫通するロッド５４と、シリンダ５３及びロッド５４の周側面を覆うボディ５５とを有する。
【００１４】
このシリンダ５３は２分割され、図６に示すように、主シリンダ５３ａの一部がスライド突起５３ｃを介して補助シリンダ５３ｂに入り込んでおり、これにより、主シリンダ５３ａは上下にスライド自在となるとともに、主シリンダ５３ａの回転力が補助シリンダ５３ｂに伝達されるようになっている。また、この主シリンダ５３ａとボディ５５との間にはコイルバネ５３ｄが介装されており、コイルバネ５３ｄの弾発力により主シリンダ５３ａが軸方向で外扉２の前面側に向かって付勢されている。また、主シリンダ５３ａの側面には図８にも示すように、所定長さの１条の溝５３ｅが軸方向に形成され、一方、保持ブロック５２にはこの溝５３ｅに填め込む突起５２ａが形成され、この突起５２ａにより主シリンダ５３ａの軸方向への移動範囲を設定している。
【００１５】
また、補助シリンダ５３ｂには前記ロック機構６の回転アーム６１がナット５３ｆ及び座金５３ｇを介して締結されており、この補助シリンダ５３ｂの回転により回動アーム６１が回転するようになっている。
【００１６】
ロッド５４は外扉２の前面から表出した第１の錠部５４ａと、この第１の錠部５４ａから内側に向かって延びる第１のロッド部５４ｂと、この第１のロッド部５４ｂから内側に向かって延びる第２のロッド部５４ｃとを有し、この第１の錠部５４ａに鍵５４ｄを挿入しこれを回動するとき、各ロッド部５４ｂ，５４ｃも同様に回転するようになっている。
【００１７】
また、この各ロッド５４ｂ，５４ｃの連結部分には係止部材５４ｅが固着されている。この係止部材５４ｅは板状に形成され、図７にも示すように、主シリンダ５３ａを径方向に貫通してボディ５５の内側面に達しており、その先端がボディ５５に形成された係止溝５５ａに填り込んでいる。この係止溝５５ａは周方向に４分の１程度形成されており、この係止溝５５ａの他端には図７及び図８に示すように上下方向に延びる係止部材５４ｅの案内溝５５ｂが形成されている。
【００１８】
これにより、係止部材５４ｅが係止溝５５ａの一端側に位置しているときはロッド５４の上下方向への移動はもとより、この係止部材５４ｅにより主シリンダ５３ａの上下方向への移動も規制される。一方、この係止部材５４ｅが他端側に回転し案内溝５５ｂに達するときは、ロッド５４及び主シリンダ５３ａの移動規制が解除されることとなる。
【００１９】
なお、主シリンダ５３ａと保持ブロック５２との間、更には補助シリンダ５３ｂとボディ５５との間にはそれぞれ滑り軸受け５３ｈ，５３ｉを介在しており、この滑り軸受け５３ｈ，５３ｉによりシリンダ５３の回転を円滑に行うようになっている。
【００２０】
また、この施錠装置５は電気駆動のアクチュエータとして駆動モータ５６を有し、この駆動モータ５６は回転軸５６ａに連結した歯車５６ｂとこの歯車５６ｂに歯合する歯車５６ｃを介して前記第２のロッド５４ｃの先端側に連結している。また、第２のロッド５４ｃの周側面の一部には上下に延在したスライド突起５４ｆを有し、このスライド突起５４ｆを図５に示すように歯車５６ｃに摺動自在に填め込んでいる。これにより、駆動モータ５６の回転力が各歯車５６ｂ，５６ｃを介して第２のロッド５４ｃに伝達されるとともに、第２のロッド５４ｃの上下のスライドが可能となっている。
【００２１】
この駆動モータ５６の制御手段として外扉２の前面に表出された第２の錠部５６ｄ（図１に示す）に鍵を挿入回転することによりオンするキースイッチ５６ｅ、駆動モータ５６の駆動時間を制御するタイマ５６ｆ、このキースイッチ５６ｅ及びタイマ５６ｆからの信号に基づき駆動モータ５６を制御する制御器５６ｇを有している。また、このタイマ５６ｆの設定時間は駆動モータ５６の駆動により係止部材５４ｅが４５度回転（図７参照）するよう設定されている。
【００２２】
本実施形態に係る自動販売機の外扉２を開放するときは、鍵５４を第２の錠部５６ｄに挿入し、キースイッチ５６ｅをオンする。これにより、駆動モータ５６が回転駆動し、回転軸５６ａ及び各歯車５６ｂ，５６ｃを介して第２のロッド５４ｃが図７に向かって４５度時計回りに回転する。この回転により係止部材５４ｅが係止溝５５ａに沿って回転して案内溝５５ｂに達し、主シリンダ５３ａの係止状態が解除される。そして、この係止状態が解除されるとコイルバネ５３ｄの付勢力により主シリンダ５３ａが外扉２の外方に向かって移動する。
【００２３】
このように主シリンダ５３ａが移動することによりロックハンドル５１が図４に示すように外扉２から離れこれの回転操作が可能となる。しかる後、ロックハンドル５１を把持して回転することにより（図１に向かって時計回りに回転）、ロック機構６が前述の如き開放操作を行う。
【００２４】
以上説明した外扉２の開放操作は駆動モータ５６により電動開放する例であるが、停電時等で駆動モータ５６を稼働できないときは、図４に示すように鍵５４ｄを第１の錠部５４ａに挿入し、この鍵５４ｄを把持してロッド５４を図７に向かって４５度時計回りに回転する。これにより、係止部材５４ｅの係止状態が解除され、前述と同様の操作で外扉２が開放される。
【００２５】
なお、開放された外扉２を閉鎖するときは、前方に突出したロックハンドル５１を押し込み、反時計回りに回転させる。これにより、係止部材５４ｅが係止溝５５ａに係止され、外扉２が閉鎖状態で保持される。
【００２６】
以上のように本実施形態に係る自動販売機の外扉施錠構造では、駆動モータ５６への通電によっても係止部材５４ｅの係止状態を解除できるため、外扉２の開放操作が簡単になっているし、また、外扉２から表出した錠部が、第１の錠部５４ａと第２の錠部５６ｄの両者を有するため、防盗構造に優れたイメージを与え、これにより、金品の窃取意欲を抑制することができる。
【００２７】
【発明の効果】
以上説明したように、本発明によれば、アクチュエータへの通電によっても係止部材の係止状態を解除でき、外扉の開放操作が簡単になっているし、また、外扉から表出した錠部が、第１の錠部と第２の錠部の両者を有するため、金品の窃取意欲を抑制することができる。
【図面の簡単な説明】
【図１】本発明に係る自動販売機の正面図
【図２】本発明に係る施錠装置とロック機構との連結状態を示す平面断面図
【図３】  本発明に係る開閉ロック機構における外扉閉鎖状態を示す断面図
【図４】本発明に係る施錠装置を示す断面図
【図５】図４のＡーＡ線矢印方向の断面図
【図６】図４のＢーＢ線矢印方向の断面図
【図７】図４のＣーＣ線矢印方向の断面図
【図８】図４のＤーＤ線矢印方向の断面図
【符号の説明】
１…自動販売本体、２…外扉、５…施錠装置、６…ロック機構、５１…ロックハンドル、５４ａ…第１の錠部、５５ａ…係止部材、５６ｄ…第２の錠部。
【図１】
0004289690.tif 000002
【図２】
0004289690.tif 000003
【図３】
0004289690.tif 000004
【図４】
0004289690.tif 000005
【図５】
0004289690.tif 000006
【図６】
0004289690.tif 000007
【図７】
0004289690.tif 000008
【図８】
0004289690.tif 000009